(57)【特許請求の範囲】
【請求項１】
扉と、
前記扉を支持する扉支持体と、
前記扉を、前記扉支持体に、取り外し可能かつ所定の軸の周りに回動可能に接続する抜差しヒンジと、
前記扉の、前記回動以外の運動を少なくとも一部規制するストッパと、
を備える、扉支持構造であって、
前記扉支持構造はさらに容器本体を備え、
前記ストッパは、前記容器本体に設けられ、
前記ストッパは、前記扉に対して前記軸方向の運動を規制し、
前記扉支持構造は、前記扉支持体を前記容器本体に対して固定するか、または、前記扉支持体を前記容器本体に対して少なくとも前記軸と平行でない方向に運動可能とするかを切り替え可能な、固定構造を備える、扉支持構造。
【請求項２】
前記固定構造は、開口および螺合部材を備え、
前記開口は、前記扉支持体に設けられ、
前記開口は、前記軸と垂直な方向に延び、
前記螺合部材は、前記開口を貫通することにより、前記扉支持体を前記容器本体に締結可能である、
請求項１に記載の扉支持構造。
【発明の詳細な説明】
【技術分野】
【０００１】
この発明は扉支持構造に関する。
【背景技術】
【０００２】
容器本体にカバーが設けられる構造において、カバーに開閉可能な扉を設けることが公知であり、一部のものでは扉を容器本体から取り外すことができるように構成されている。ここで、とくに商業用の容器等において、扉を誰でも容易に取り外し可能とすると問題が発生するおそれがある場合には、取り外しを制限するための構造が設けられる場合がある。
【０００３】
このような構成の例は、特許文献１に示される。特許文献１では、外部から視認困難な蓋部の裏側に固定構造が設けられており、構造を知らない顧客等は容易に取り外しができないようになっている。
【先行技術文献】
【特許文献】
【０００４】
【特許文献１】特願２０１４−１２８８９６号公報
【発明の概要】
【発明が解決しようとする課題】
【０００５】
しかしながら、従来の技術では、扉を取り外す際に、取り外し可能な単位が比較的大きいという問題があった。
【０００６】
たとえば特許文献１の構成では、開閉可能な部分（扉）のみならずカバーまで含めた大きな単位でしか取り外しができない。このため、たとえば扉の破損等により部品交換が必要になると、取り外し可能な単位の交換用部品が比較的高価なものとなる。
【０００７】
この発明は、このような問題を解決するためになされたものであり、扉を取り外す際に、取り外し可能な単位を比較的小さくすることができる扉支持構造を提供することを目的とする。
【課題を解決するための手段】
【０００８】
この発明に係る扉支持構造は、扉と、扉を支持する扉支持体と、扉を、扉支持体に、取り外し可能かつ所定の軸の周りに回動可能に接続する抜差しヒンジと、扉の、回動以外の運動を少なくとも一部規制するストッパと、を備える扉支持構造であって、扉支持構造はさらに容器本体を備え、ストッパは、容器本体に設けられ、ストッパは、扉に対して軸方向の運動を規制し、扉支持構造は、扉支持体を容器本体に対して固定するか、または、扉支持体を容器本体に対して少なくとも軸と平行でない方向に運動可能とするかを切り替え可能な、固定構造を備える。
固定構造は、開口および螺合部材を備え、開口は、扉支持体に設けられ、開口は、軸と垂直な方向に延び、螺合部材は、開口を貫通することにより、扉支持体を容器本体に締結可能であってもよい。
【発明の効果】
【０００９】
この発明に係る扉支持構造によれば、扉に抜差しヒンジを用いるので、扉のみを取り外し可能とすることができ、取り外し可能な単位が比較的小さくなる。
【図面の簡単な説明】
【００１０】
【図１】本発明の実施の形態１に係るストッカの全体構成を示す図である。
【図２】ストッカ本体の構成を示す図である。
【図３】ストッパに関連する構成の拡大図を示す。
【図４】扉を閉じた状態のカバー等の上面図である。
【図５】扉を閉じた状態のカバー等の正面図である。
【図６】扉を閉じた状態のカバー等の右側面図である。
【図７】扉がカバー本体から取り外された状態のカバーの上面図である。
【図８】ストッカの通常の使用時において扉４０が開かれた状態を示す、ストッパ周辺の拡大図である。
【図９】図８の状態からネジの締結が緩められた状態を示す拡大図である。
【図１０】図９の状態からカバー本体が前方向にスライドし、その後ネジを再び締結した状態を示す拡大図である。
【図１１】図１０に対応する状態の右側面図である。
【図１２】図１１の状態から、扉をカバー本体から取り外した状態を示す図である。
【発明を実施するための形態】
【００１１】
以下、この発明の実施の形態を添付図面に基づいて説明する。
実施の形態１．
図１に、本発明の実施の形態１に係るストッカ１０の全体構成を示す。ストッカ１０は、本発明に係る扉支持構造の例である。ストッカ１０は、たとえば貯氷庫として内部に氷をストックすることができる。ストッカ１０は、氷を収容するストッカ本体２０を備える。ストッカ本体２０は容器本体として機能する。ストッカ本体２０は一部に開口を有し、図１の例では上端が開口している。また、図１の例では、上端以外にも開口を有するが、このような開口はストッカ１０の用途に応じて適宜設けられればよく、必須の構成ではない。
【００１２】
ストッカ１０は、カバー本体３０および扉４０を備える。カバー本体３０は、扉４０を支持する扉支持体として機能する。カバー本体３０および扉４０は、抜差しヒンジ５０によって接続され、ストッカ本体２０の開口（図１の例では上端の開口）を覆うカバーを構成する。扉４０は、この抜差しヒンジ５０によって、所定の軸（回動軸）の周りに回動可能となっている。また、抜差しヒンジ５０を抜き差しすることによって、扉４０はカバー本体３０から取り外し可能となっている（取り外し方法等は、図７および図１２等に関連して後述する）。
【００１３】
本明細書において、この軸の方向を左右方向とし、添付図面において矢印Ａで示す（矢印Ａの向きを右方向とする）。なお、矢印Ａは、軸と平行な方向を示すものであって、必ずしも軸の位置を正確に表すものではない。また、本明細書において、水平かつ軸と垂直な方向を前後方向とし、添付図面において矢印Ｆで示す（矢印Ｆの向きを前方向または正面方向とする）。また、本明細書において、扉４０が回動する方向を矢印Ｒで示す。このように定義すると、矢印Ａおよび矢印Ｆのいずれとも垂直な方向が上下方向であるということができる。
【００１４】
図２に、ストッカ本体２０の構成を示す。ストッカ本体２０はフランジ２１およびストッパ２２を備える。ストッカ本体２０は上端が開口しており、フランジ２１はこの開口部の周辺に設けられる。なお、図２および後述の図３には、フランジ２１に螺合するネジ６１（螺合部材）が示されているが、これについては後述する。ネジ６１は、ストッカ本体２０の構成要素に含まれないものであってもよい。
【００１５】
図３に、ストッパ２２に関連する構成の拡大図を示す。ストッパ２２は、本実施形態ではストッカ本体２０に固定される。より具体的には、ストッパ２２はフランジ２１の周縁に固定されており、上方向に延びる形状である。ストッパ２２は、扉４０に対し、軸方向の運動を規制するよう作用するが、この作用については図８等に関連して後述する。
【００１６】
図４、図５および図６に、扉４０を閉じた状態の構成を示す。図４はカバー本体３０、扉４０および抜差しヒンジ５０を含むカバーの上面図であり、図５はこのカバーの正面図であり、図６はこのカバーの右側面図である。また、図４にはさらにストッパ２２が示され、図５および図６にはストッパ２２およびフランジ２１が示されている。図示のように、ストッパ２２は抜差しヒンジ５０の軸（すなわち扉４０の回動軸）に重なるように、または軸の近傍に、設けられる。
【００１７】
本実施形態では、扉４０は、窓部材４１および枠４２（枠部分）からなる。枠４２は、たとえば窓部材４１を支持するための窓部材支持構造であるということができる。枠４２は、たとえば扉４０の周縁に、所定の幅をもって形成される。窓部材４１は、ストッカ本体２０の内部が視認可能となるような材料から形成され、たとえば全体が透明な樹脂からなる。また、枠４２はハンドル４３を備え、抜差しヒンジ５０が取り付けられる。図５および図６に示すように、扉４０が閉じた状態では、枠４２とフランジ２１とが接することによりストッカ本体２０の開口が塞がれる。なお、本実施形態ではカバー本体３０は全体が不透明に構成されている。
【００１８】
図７に、扉４０がカバー本体３０から取り外された状態の、カバーの上面図を示す。図示のように、扉４０を軸方向右側（すなわち矢印Ａの向き）に移動させることにより、抜差しヒンジ５０の雌部材５０ａと雄部材５０ｂとが分離し、これによって扉４０がカバー本体３０から取り外される。なおこの図ではストッパ２２は考慮していない。
【００１９】
図８、図９および図１０に、ストッパ２２周辺の拡大図を示す。図８は、ストッカ１０の通常の使用時において扉４０が開かれた状態を示す。（なお、「通常の使用時」の意味は当業者が適宜解釈可能であるが、たとえば、カバー本体３０がストッカ本体２０に固定され、ストッカ１０が貯氷を行い、利用者が扉４０を開閉することによって任意に氷を取り出すことができるようになっている状態を表す。）
【００２０】
図示のように、ストッパ２２は、扉４０に対し、回動以外の運動を少なくとも一部規制する。この結果、扉４０の端面がブロックされ、抜差しヒンジ５０が抜けなくなる。具体的には、本実施形態では、扉４０に対して軸方向右側への移動を規制する。このため、扉４０を図７のようにカバー本体３０から取り外すことができなくなっている。なお、ストッパ２２は、扉４０の軸方向の運動をまったく許容しないよう配置する必要はなく、抜差しヒンジ５０が分離しない程度の移動幅であれば軸方向の運動を許容してもよい。
【００２１】
また、ストッカ１０の通常の使用時においては、カバー本体３０はストッカ本体２０に固定される。本実施形態では、これはストッカ１０がカバー固定構造６０を備えることにより実現される。図８の例では、カバー固定構造６０はネジ６１および溝６２を備える。溝６２は、カバー本体３０に設けられてカバー本体３０の一部を貫通する開口である。溝６２は前後方向（すなわち回動軸と垂直な方向）に延び、ネジ６１の軸部分が挿通可能な幅を有する。
【００２２】
このように、ネジ６１が溝６２を貫通することにより、カバー本体３０をストッカ本体２０に締結可能である。すなわち、カバー固定構造６０によれば、ネジ６１が溝６２を貫通しつつ、溝６２の縁の少なくとも一部（図８の例では前縁またはその近傍）においてカバー本体３０をストッカ本体２０に締結することにより、カバー本体３０がストッカ本体２０に対して固定される。
【００２３】
図９は、図８に示す状態からネジ６１の締結が緩められた状態を示す。この状態では、カバー本体３０はストッカ本体２０に固定されておらず、ネジ６１の軸部分と溝６２とが干渉しない範囲内で互いに運動可能である。本実施形態では溝６２が前後方向に延びているので、カバー本体３０はストッカ本体２０に対して前後方向（すなわち回動軸と垂直な方向）に、溝６２の長さの範囲内でスライド可能となる。
【００２４】
図１０は、図９に示す状態からカバー本体３０が前方向にスライドし、その後ネジ６１を再び締結した状態を示す（なお、図８および図９では扉４０が開いた状態に対応する回動位置にある状態を示しているが、図１０では扉４０が閉じた状態に対応する回動位置にある状態を示している）。カバー本体３０に接続されている抜差しヒンジ５０および扉４０も同時に前方向にスライドし、これによって、扉４０の回動軸が相対的にストッパ２２と重ならない位置に（または、ストッパ２２からより隔たった位置に）移動している。
【００２５】
図１１に、図１０に対応する状態の右側面図を示す。この状態では、ストッパ２２はもはや扉４０に対して軸方向右側への移動を規制しない。とくに、カバー本体３０が前方に移動することにより、抜差しヒンジ５０の雄部材５０ｂは、軸方向においてストッパ２２と重ならない位置に移動している。このため、雄部材５０ｂおよびこれに固定された扉４０を、軸方向右側に移動させることが可能となる。このように、カバー固定構造６０によれば、カバー本体３０をストッカ本体２０に対して固定するか、または、カバー本体３０をストッカ本体２０に対して前後にスライド可能とするかを切り替え可能とすることができる。
【００２６】
図１２に、図１１の状態から扉４０を軸方向に移動させ、雌部材５０ａと雄部材５０ｂとを分離させて扉４０をカバー本体３０から取り外した後の状態を示す。このように、本発明に係る扉支持構造によれば、扉４０に抜差しヒンジ５０を用いるので、扉４０のみを取り外し可能とすることができ、取り外し可能な単位が比較的小さくなる。
【００２７】
このため、たとえば扉４０が破損し、部品交換が必要になった場合であっても、扉４０のみ交換すればよく、カバー本体３０についてはそのまま使用することが可能である。したがって、交換用部品を扉４０のみとすることができ、カバー本体３０（またはその一部）を交換用部品に含む場合と比較すると、安価に製造することができる。とくに、本実施形態では傷つきやすい透明樹脂からなる窓部材４１を含む扉４０のみを容易に交換することができる。
【００２８】
なお、扉４０の取り付け作業についても、逆の手順で容易に行うことができる。すなわち、まずカバー本体３０を前方にスライドさせた状態で扉４０を軸方向右側から左向きに移動させ、雌部材５０ａに雄部材５０ｂを係合させ、次にカバー本体３０を後方にスライドさせてネジ６１を締結すればよい。
【００２９】
扉４０は、ネジ６１を緩めてカバー本体３０全体を前方にスライドさせることにより交換可能なので、専門のサービスマンに限らず、商業施設の店員等でも容易に交換することができる。一方で、扉４０は、取り外し方法を知っている使用者のみが容易に取り外すことができ、取り外し方法を知らない者（たとえば一般顧客等）は容易に取り外すことができないので、管理面や安全面等で問題が発生する可能性を抑えることができる。
【００３０】
上述の実施の形態１では、溝６２は前後方向に延び、カバー本体３０は前後方向にスライド可能であったが、これらの方向は回動軸と垂直な方向であれば前後に限らない。たとえば、溝を上下に延びる形状とし、ネジが溝を左右方向に貫通する構成としてもよい。この場合には、ネジを緩めることによりカバー本体がストッカ本体に対して上下方向にスライド可能となる。また、溝は回動軸と厳密に垂直な方向とする必要はなく、少なくとも回動軸と平行でない方向に延びるものであればよく、カバー本体がストッカ本体に対して少なくとも回動軸と平行でない方向に運動可能となるものであればよい。
【００３１】
実施の形態１では窓部材４１は全体が透明であるが、半透明または不透明な樹脂を窓部材４１の一部または全体に用いてもよい。また、扉４０は枠４２を備えないものであってもよい。たとえば扉４０は単一の窓部材からなるものであってもよい。枠４２を備えない場合には、ハンドル４３および抜差しヒンジ５０は単一の窓部材に直接取り付けられてもよい。
【符号の説明】
【００３２】
１０  ストッカ（扉支持構造）、２０  ストッカ本体（容器本体）、２２  ストッパ、３０  カバー本体（扉支持体）、４０  扉（４１  窓部材、４２  枠（枠部分））、５０  抜差しヒンジ（５０ａ  雌部材、５０ｂ  雄部材）、６０  カバー固定構造（６１  ネジ（螺合部材）、６２  溝（開口））。
【図１】
0006667318.tif 000002
【図２】
0006667318.tif 000003
【図３】
0006667318.tif 000004
【図４】
0006667318.tif 000005
【図５】
0006667318.tif 000006
【図６】
0006667318.tif 000007
【図７】
0006667318.tif 000008
【図８】
0006667318.tif 000009
【図９】
0006667318.tif 000010
【図１０】
0006667318.tif 000011
【図１１】
0006667318.tif 000012
【図１２】
0006667318.tif 000013